(57)【要約】本発明は、パズルを組み立て、格納し且つ保護する方法及び装置に関する。本発明の装置は、その折畳みを容易にし得るように、折畳み線が設けられた板紙又は同様の材料１から成る長方形のシートと、その短部に配置されたカバー２、３とを備える箱から成る。パズルのピース及び折畳んだシート７を保持するバッグが箱４内に配置されている。パズルを保持する箱構造体を形成する長方形のシート１が一度び展開されたならば、上記シートはパズルのピースを組み立てる支持面を形成する。完成又は未仕上げのパズルを備える支持シートは、気密の開閉要素５が設けられたバッグ４内に格納される。バッグには、任意の機械的又は手動手段により空気をバッグ内部から吸引するために使用される弁６が設けられている。このようにして、パズルの組み立てたピースは動くことができず、これにより、パズルをより運び易くする。本発明の装置はまた、その折畳み及び展開のための折畳み線及び切込みが設けられた板紙又は同様の材料７から成る補助シートを備えている。補助シートは、パズルを組み立てる追加的ボードとして使用することができる。
2005508722.tif 000002
【特許請求の範囲】
【請求項１】
パズルを組み立て、格納し且つ保護する方法及び装置において、長方形の板紙又は同様のシート要素（１）で形成された箱から成っており、その折畳みを容易にし得るようにするいくつかの折畳み線と、端部に配置されたいくつかの閉塞蓋（２）、（３）とを備え、パズルのピース及び折畳んだシート（７）を保持するバッグ（４）が内部に存在することを実質的に特徴とする方法及び装置。
【請求項２】
パズルを組み立て、格納し且つ保護する、請求項１に記載の方法及び装置において、パズルのピース用の容器箱の構造を形成する長方形のシートの要素（１）が、一度び展開されたならば、パズルのピースを組み立て又は完成させる支持面となるようにした、方法及び装置。
【請求項３】
パズルを組み立て、格納し且つ保護する，請求項１又は２に記載の方法及び装置において、部分的に又は完全に組み立てたピースを有する長方形のシート（１）がバッグ（４）内に保持され、気密のシールを提供する要素（５）と、任意の手動又は機械的方法によってその内部から空気を吸引し、その空気を吸引するとき、組み立てられたパズルのピースを固定状態のままにし且つその移動を容易にすることのできる弁（６）とを有する、方法及び装置。
【請求項４】
パズルを組み立て、格納し且つ保護する、請求項１に記載の方法及び装置において、板紙又は同様の長方形のシート（７）がその折畳みを許容し、また、パズルのピースに対する組立てボードとして使用される補助物であるいくつかの折畳み、切込み、及び折畳み線を有するようにした、方法及び装置。
【発明の詳細な説明】
【発明の目的】
【０００１】
本発明は、オリジナルな構成を有する箱から成るパズルを組み立て、格納し且つ保護する新規な方法及び装置に関する。該装置は、折畳み可能であり、また、パズルを構成するピースを組み立てるための支持ベース部と、不完全又は未完成のパズル及びその他の補助物を固定することを許容する弁を有するバッグとを形成する。
【発明の分野】
【０００２】
本発明の適用分野は、板紙でできていることが好ましい、パズル、箱及びゲーム器の製造を専門とする業界、及び同様に、レジャー業界及びバッグの製造業界である。
【発明の背景】
【０００３】
不規則な直線状又は曲線状の形状、絵又は図形の表現物を全体として構成する異なる色調及び像が印刷され、ジグソーパズルとして既知のピース、好ましくは、平坦なピースを組み立てることは、極めて周知のことであり、且つ、人気の高い娯楽である。ジグソーパズルは、それ自体、心理的能力及び非常なおもしろさのため高度に発展している。今日まで、日夜改良され、より高レベルの複雑さに達するまで、改良が加えられている。このことは、パズルの組立てを完了するため、より長い時間がかかる。その構造のため、より多くの補助的要素が必要であることを意味する。
【０００４】
ゲーム面を保持する摩擦力、ゲーム面を覆う蓋又は関節折畳み式蓋が存在し、そのカバーは、蓋がゲーム面を覆うとき、組み立てられたパズルに接触し得るようにされた圧縮可能なブランケット又はクッションを有する、パズル用の支持体を記載する欧州特許第Ａ‐０４０１２９０号のような特許及び実用新案が存在する。パズル等を組み立て、又、その組み立てられ且つ、半組み立てたパズル等の箱に関するもので、２つの木製ピースと、ヒンジによって互いに接続された内部の中空体と、閉鎖装置とを有することを特徴とする、実用新案第Ｕ９９０１０６８もある。内部領域には、２つの区画室と、パズルの要素すなわちピースを保持し得るように直角に交差するいくつかのテープとが存在する。パズルの大部分は、板紙箱等に入れて販売されており、その内部には、その他の補助物無しで、パズルを構成するピースを保持する密封バッグがある。
【０００５】
当該出願人は、また、特定の区画室を構成する異なる要素に対する特定の区画室を備える、異なるゲームに対する容器箱が存在することも知っているが、多数のピースを有し、また、同時に寸法が大きいパズル又は同様のものを互いにまとめることが必要であるとき、また、パズルを構成する異なるピースから徐々に組み立てられるとき、大きいシートを使用しなければならない。
【０００６】
これらの寸法の大きいパズルは、何日もかけて組み立て、また、組立て作業が停止される毎に、既に組み立てたピース及び板紙内に配置されたパズルから分離されたその他の物を、十分に注意して安全な場所に移さなければならないか、又は、これと代替的に人が通ることで問題が生じない家屋内の場所にしまわなければならない。パズルを動かすとき、非常な注意を払うにもかかわらず、ピースは、ほぼ常にその元の位置から移動する。
【０００７】
このことは、今日まで、ピースが分離する虞れを伴わずに、組み立てたピースを１つの場所から別の場所まで移動させることは不可能であるように思われることを意味する。
【発明の説明】
【０００８】
パズルを組み立て、格納し且つ、保護する、この新規な方法及び装置は、特定の適用分野における透明なノベルティとして形成され、組立て時の容易さを許容し、組み立てたピース及び未だ組み立てられていないピースの双方を等しく完全に保護する。同様に、パズルピースが移動するおそれを伴わずに、組み立て又は半組み立てたパズルの位置を変更すること、すなわち移動することを許容する。従って、該パズルは、外側に配置された２つの蓋を有する箱を形成し得るようにいくつかの折畳み線を有する長方形の板紙又は同様の要素を備えている。内部には、独特の特徴を有し、気密の開閉システム及び弁を備え、パズルを構成するピース又は要素を保持するバッグがある。同様に、この箱は、長方形の板紙の別個の折畳んだピースを有し、また、上述したものと同様であるが、空の別のバッグを有している。
【０００９】
蓋を箱の側部から除去したならば、長方形の要素を展開させ、これによりパズルのピースを組み立てるボードを形成する。
不完全なパズルがその未仕上げ状態にある状態でボードにピースを保持するバッグ内に導入し、ボードを閉じ、また、手動にて又は等しく機械的手段によって、上記バッグ内に配置された弁により、空気を内部から吸引し、真空圧を形成し、また、組み立てたピースは、固定状態となり、ピースを動かして、ピースに最も適した箇所に止まるようにすることができる。
【００１０】
未だ組み立てられていないピースを保持するため、同様の特徴を有する空のバッグを箱の内部に配置することができる。同様の仕方にて、長方形の板紙又は同様の折畳んだ要素を使用して、分類されたが、未だ組み立てられていないパズルピース又は要素を主要なパズル組立てボード上に保持することができる。
【００１１】
以下の説明を完全にし、また、本発明の特徴を一層良く理解するために、一例であり且つ限定的ではない４枚の図面が本明細書の一体部分として、本明細書に添付してある。
図６は、補助的要素として、板紙又は同様の材料で出来た長方形のシート（７）であり、該シートは、折畳みを容易にし、また、パズルピースを組み立てるベースボードとして使用する１つの補助物として機能する、いくつかの切込み及び折畳み線を有している。
【００１２】
シート（７）及びバッグ（４）は、従来のパズルに対する補助的要素として共に又は別個に販売することができる。
【好ましい実施の形態】
【００１３】
図面を参照すると、パズルを組み立て、格納し及び保護する、この方法及び装置は、図１から理解し得るように、側部に配置された閉塞蓋（２）、（３）を有する箱（１）とから成っている。
【００１４】
このように、図２から、箱の主要部分は、単一のシート要素（１）で出来ていることが理解できる。
図３には、長方形のシート要素（１）が図示されており、また、箱構造体用の折畳み線が図示されている。
【００１５】
図３によれば、箱構造体を形成するシート（１）は、展開させたとき、ベース部を形成し、このベース部上にパズルピースが組み立てられる。
図４は、パズルピースを保持するバッグ（４）と、上記バッグ（４）を開閉するための気密シールを形成する要素（５）と、真空を発生させるための弁（６）との平面図に相応する。
【００１６】
図５には、バッグ（４）が図示されており、該バッグの内部には、シート要素（１）すなわち、パズルの組み立てたピースに対するベース部がある。空気は、弁（６）によってバッグ（４）から吸引することができ、この空気を吸引するとき、パズルの組み立てたピースは、その保護のため及び動かないように固定されることが理解できる。
【図面の簡単な説明】
【００１７】
【図１】パズルピースを保持する、閉じた箱の斜視図である。
【図２】箱を構成する長方形のシートの斜視図である。
【図３】箱を構成する長方形のシートの平面図である。
【図４】パズルピースを保持するバッグの平面図である。
【図５】パズルピースを保持するバッグの平面図である。
【図６】折畳み可能な要素の平面図である。
【図１】
2005508722.tif 000003
【図２】
2005508722.tif 000004
【図３】
2005508722.tif 000005
【図４】
2005508722.tif 000006
【図５】
2005508722.tif 000007
【図６】
2005508722.tif 000008
【国際調査報告】
2005508722.tif 000009
2005508722.tif 000010
2005508722.tif 000011
2005508722.tif 000012
2005508722.tif 000013
2005508722.tif 000014